(57)【特許請求の範囲】
【請求項１】
画像形成装置の原稿載置部に取付けられ、支点を中心に回動可能に開閉する原稿カバーにおいて、閉位置から開けるときには停止することなく全開放位置まで開け、全開放位置から閉めるときには全開放位置と閉位置の間の中間位置で一旦停止可能であり、前記原稿カバーを一旦持ち上げることによって閉位置まで回動可能な保持手段を設けたことを特徴とする原稿カバーの開閉機構。
【請求項２】
前記保持手段が、原稿カバー支持板に設けた上部開放の内部湾曲部とその上部開放の内部湾曲部に設けた突起及び原稿カバーの側板に設けた原稿カバー支持ピンから構成されることを特徴とする請求項１記載の原稿カバーの開閉機構。
【請求項３】
前記原稿カバーが搬送ローラを備えたことを特徴とする請求項１記載の原稿カバーの開閉機構。
【発明の詳細な説明】
【０００１】
【発明の属する技術分野】
本発明は、複写機或いはコピー機能とファクシミリ機能を兼用する複合機等の画像形成装置の原稿読み取り部において、原稿を押さえるためのカバーの開閉機構に関する。
【０００２】
【従来の技術】
複写機或いは複写機能とファクシミリ機能を兼用する複合機等の画像形成装置や画像読み取りスキャナーにおいては、原稿を所望の位置に固定するために押さえるカバーが備えられている。前記画像形成装置の原稿の読み取りは通常光学系が移動しながら読み込んで行くが、Ａ０、Ａ１等の大きな原稿が複写可能な広幅機における原稿読み取りは、固定された光源に対して原稿を機械前面から奥側へ送る移動させ読み込んでいくという構成をとっている。このため原稿押さえカバーに原稿搬送用のローラーが備え付けられている。また、１枚のシートの場合と書物のように何頁もある場合は原稿の厚みが異なる為に、それらに応じて原稿押えカバーを交換ができるようになっている。
【０００３】
これらの画像形成装置においてユーザーが原稿をセットし原稿カバーを閉めるとき、自重でカバーが降りることにより強く閉まってしまい、場合によってはカバーを破損したり、手を挟んで傷めたりすることがあるため、カバーが自重で一気に降りず、任意の位置で止まるように原稿カバーをダンパー等で原稿載置台に固定しているものもある。
【０００４】
【本発明が解決しようとする課題】
しかし前述のように、原稿カバーをダンパー等で原稿載置台に固定すると、原稿の厚みの違いによって原稿押さえカバーを交換する場合、作業が非常に手間となってしまう。そこでカバーを閉める時に自重で強く閉まりすぎることのない安全で交換が容易な原稿カバーが望まれてる。
【０００５】
【課題を解決するための手段】
上述した目的を達成するために請求項１記載の発明は、原稿カバーの開閉機構の保持手段を設けたことを特徴としており、カバーを閉める場合は中間位置で保持することが可能であり、前記原稿カバーを一旦持ち上げることによって閉位置まで回動可能となる。
【０００６】
請求項２の発明は上記の目的を達成するために、請求項１の発明において原稿載置台上に固定された原稿カバー支持板の上部開放の内部湾曲部に、原稿カバーの側面に取り付けた支持ピンが入り込み、原稿をセットし原稿カバーを締める場合、開放位置からある角度まで閉めたところで支持ピンが原稿カバー支持板に設けられた上部開放の内部湾曲部の突起に引っかかることで回動が停止し、その後原稿カバーを手前に引き上げ支持ピンが原稿カバー支持板に設けられた突起の引っかかりから外れた後、閉位置まで回動し原稿カバーを閉める様な機構を持たせるものである。
【０００７】
一方、閉位置から開ける場合は途中で止まる必要がないため、原稿カバーが引っかかり途中で停止するようなことがなく、一気に開けることが可能である。また、原稿カバーは、原稿載置台に対して垂直な状態で持ち上げることで容易に外し、原稿の厚みに応じたカバーに交換することも可能である。
【０００８】
【発明の実施形態】
以下、本発明を図示した実施例にて詳細に説明する。図１は本発明の一実施例であるＡ０サイズまでコピー可能な大型の複写機の外観構成を示す斜視図である。Ａ０サイズのような大きな原稿を複写する機械は、前述のように機械前方から原稿を搬送し固定された光学系で原稿面が露光走査され、この露光に基づいて画像が形成される。また、高さ方向の中央部から下方の部分には、給紙部としてロール状に巻き回されたロールシートが複数段収容されている。
【０００９】
図２を参照して本機械の構成及び画像形成について説明する。複写機本体１は底部にキャスター車輪２を設けており自在に移動できるようになっている。複写機本体１の上部には、複写機本体１の上面に形成された原稿搬送路４１に沿って原稿９を搬送するための搬送ローラーを備えた原稿カバー１０が、後述する本体上部に設けた原稿カバー支持板に開閉自在に設けられている。また、複写機本体１の前面１ａには、トナー像が転写されたシートが排出される排出口５４が開口され、この排出口から排出されたシートは、案内部材９１に案内されつつ先端を下向きにして落下され、複写機本体１の全面１ａに沿う前カバー５によって形成されたポケット９２内へ導入開口９３を通して順次収容されるようになっている。
【００１０】
次にこの複写機における画像形成プロセスに関しての説明を行う。感光体ドラム２０には、帯電用コロナ放電器２１により一様に帯電された後、光源１７により透明板１３を通して原稿９の表面に照射された反射光がセルフォックレンズ１８を通過して照射される。これにより露光後の感光体には原稿像に対応した静電潜像が形成される。
【００１１】
この静電潜像は現像装置２２によりトナー像に顕像化され、このトナー像は感光体ドラム２０が矢印２３方向に回転することによって転写用コロナ放電器２４に導かれ、搬送路Ｄ１、Ｄ２、Ｄ３、Ｄ４から感光体２０に導かれたシート４に転写され、剥離用コロナ放電器２５での放電により感光体ドラム２０から剥離され、定着装置３５に導かれた後、排出され収容される。
【００１２】
複写機本体１の画像形成部の下方には、給紙部としてロール状に巻き回されたロールシート４Ａ、４Ｂ、４Ｃが３段に収容され、カッタ機構８０により所定のタイミングで切断され、所望のサイズの転写シートを給紙することができる。
【００１３】
本発明の実施例における保持手段は、原稿カバー支持板１００に設けられた上部開放の内部湾曲部１００Ａと上部開放の内部湾曲部１００Ａに設けた突起１００Ｂ、１００Ｃ及び原稿カバー１０の側板に取り付けられた原稿カバー支持ピン１０Ａ等から構成されており、上部開放の内部湾曲部１００Ａの形状と原稿カバー支持ピン１０Ａの形状により、閉時に原稿カバー１０を保持できるようになっている。
【００１４】
具体的には、原稿カバー支持板１００に上部が開放された内部の湾曲部１００Ａが形成されており、その湾曲部の中心に対して左右両側に突起１００Ｂ、１００Ｃが形成されている。原稿カバー側板に設けられた原稿カバー支持ピン１０Ａは小判型の形状に形成されている。
【００１５】
次に本発明に関する前記図１の外観斜視図に示す原稿カバー１０の原稿カバー支持板１００との係合状態及び開閉機構を図４及び図５から図８を用いて詳細に説明する。図４は複写機本体１の原稿載置部４１に備え付けられた原稿カバー支持板１００に、原稿カバー側面に取り付けられた原稿カバー支持ピン１０Ａが入り込み原稿カバー１０が取り付けられた係合状態を示している。
【００１６】
図５はこの原稿カバー１０が最大の開放位置（この実施例においては１０５゜）にある状態を示しており、上部開放の内部湾曲部１００Ａに設けた突起１００Ｂに原稿カバー支持ピン１０Ａが当接して固定されることで原稿カバー１０が最大の開放位置に保持されている。
【００１７】
次に原稿カバー１０を原稿カバー支持ピン１０Ａを支点として回動しながら閉じていき一旦停止した状態を図６に示す。原稿カバー１０を閉じていった場合、上記上部開放の内部湾曲部１００Ａに設けた左側の突起１００Ｃに原稿カバー支持ピン１０Ａが当接することで原稿カバーが途中の位置（この実施例においては、６０゜）で固定されるが、上部開放の内部湾曲部１００Ａに設けた突起１００Ｂ、１００Ｃの形状を変えることで任意の角度に設定することができる。
【００１８】
原稿を所定の位置に載置し引き続き原稿カバー１０を閉位置まで閉める場合においては、図７の矢印方向に原稿カバー１０を一旦持ち上げ原稿カバー支持ピン１０Ａを上部開放の内部湾曲部１００Ａに設けた左側の突起１００Ｃからはずすことで再び回動が可能となり、図８に示す閉位置で原稿を押さえることが可能となる。
【００１９】
一方、原稿カバー１０を閉位置から開ける場合は、原稿カバー支持ピン１０Ａが引っかかることなく回転できるため、最大の開放位置まで一気に引き上げることができる。
【００２０】
また、前述のように原稿の厚みが異なり原稿カバー１０を１枚のシート対応のものから、図１０に示す書物のように厚いものが対応できるもの（ブックキャリア）に交換する時は、図９に示す如く原稿カバー１０を原稿載置台に対して垂直な状態で上方に引き上げる事で原稿カバー支持ピン１０Ａを原稿カバー支持板１００に形成された上部開放の内側湾曲部１００Ａから外しカバーを交換する事が可能となる。
【００２１】
本発明の実施の形態の説明は以上の通りであるが、この発明は上述の実施の形態に限定されるものではなく、原稿カバーと原稿カバー支持板を連結させ、原稿支持板の内部に連結点を介して繋がっている２つの溝を設け、機械本体と原稿カバー支持板を連結する軸が前記２つの溝の一方にはまり込むとき原稿カバーが全開状態で、他の一方の溝にはまり込むときは中間位置に停止するような保持手段を設けた開閉機構等種々の設計を施すことも可能である。
【００２２】
【発明の効果】
本発明は原稿押えカバーに簡単な取付け機構を採用することで、カバーを開ける場合は一気に開けることが可能で、閉める時は自重で強く閉まりすぎることのない様に途中で一旦停止し、さらに厚みの異なる原稿に対応するために容易にカバーを交換することができるという安全性と作業性に優れた原稿カバーを実現することができた。
【図面の簡単な説明】
【図１】本発明の一実施例にかかる複写機の外観を示す斜視図。
【図２】本発明の一実施例にかかる複写機の内部構造を概略化した断面図。
【図３】本発明の一実施例にかかる複写機の原稿挿入時を表す斜視図。
【図４】本発明の一実施例にかかる原稿カバー支持板に原稿カバーが係合された状態の断面図。
【図５】本発明の一実施例にかかる複写機の原稿カバーの最大開放状態での断面図。
【図６】本発明の一実施例にかかる複写機の原稿カバーの途中の停止状態での断面図。
【図７】本発明の一実施例にかかる複写機の原稿カバーの途中停止状態から斜め上方に引き上げる時の断面図。
【図８】本発明の一実施例にかかる複写機の原稿カバーを閉じて原稿を押さえた時の断面図。
【図９】本発明の一実施例にかかる複写機の垂直状態の断面図。
【図１０】ブックキャリアの断面図。
【符号の説明】
１  複写機本体
２  キャスター車輪
４Ａ、４Ｂ、４Ｃ  ロールシート
５  前カバー
９  原稿
１０  原稿カバー
１０Ａ  原稿カバー支持ピン
１３  透明板
１７  光源
１８  セルフォックレンズ
２０  感光体ドラム
２１  帯電用コロナ放電器
２２  現像器
２３  ドラム回転方向
２４  転写用コロナ放電器
２５  剥離用コロナ放電器
３５  定着器
４１  原稿載置台
８０  カッター機構
１００  原稿カバー支持板
１００Ａ  原稿カバー支持板の上部開放の内部湾曲部
１００Ｂ  原稿カバー支持板の上部開放の内部湾曲部の右側突起
１００Ｃ  原稿カバー支持台の上部開放の内部湾曲部の左側突起
【図１】
0003545681.tif 000002
【図２】
0003545681.tif 000003
【図３】
0003545681.tif 000004
【図４】
0003545681.tif 000005
【図５】
0003545681.tif 000006
【図６】
0003545681.tif 000007
【図７】
0003545681.tif 000008
【図８】
0003545681.tif 000009
【図９】
0003545681.tif 000010
【図１０】
0003545681.tif 000011